(57)【特許請求の範囲】
【請求項１】
装置本体と、
前記装置本体に対して着脱可能に取り付けられるアクセサリと、
アイカップ、撮影画像を表示する表示パネル、及び前記表示パネルと前記アイカップとの間で光軸方向に移動するレンズ群を有し、前記装置本体に対してヒンジ機構を介して撮影者側から前記装置本体に取り付けられた前記アクセサリに向けて回動可能に支持されるビューファインダと、を備え、
前記ヒンジ機構は、
前記装置本体に前記アクセサリを取り付けた状態では、前記ビューファインダを前記アクセサリに前記ビューファインダが当接しない第１の回動角度で保持し、
前記装置本体から前記アクセサリを取り外した状態では、前記ビューファインダを前記装置本体に前記ビューファインダが当接しない第２の回動角度で保持し、
前記第２の回動角度は、前記第１の回動角度より大きいことを特徴とする撮像装置。
【請求項２】
前記第１の回動角度は、前記表示パネルに平行で、前記レンズ群に最も近い前記アイカップの２つの点を結んだ線を含む接眼面より撮影者側に前記アクセサリが入らない角度であることを特徴とする請求項１に記載の撮像装置。
【請求項３】
前記ビューファインダには、前記ビューファインダが前記第１の回動角度で保持された状態で、前記ビューファインダを前記アクセサリに向けて回動させた際に、前記アクセサリに当接してそれ以上の回動を規制する当接部が設けられていることを特徴とする請求項１又は２に記載の撮像装置。
【請求項４】
前記ビューファインダは、前記レンズ群を光軸方向に移動可能に前記レンズ群の径方向の中心に向けて付勢する弾性部材を備えることを特徴とする請求項１乃至３のいずれか一項に記載の撮像装置。
【請求項５】
前記ビューファインダが前記第２の回動角度で保持されている状態で、前記装置本体に前記アクセサリを取り付けた際に、前記ビューファインダを前記第１の回動角度まで回動させる機構を備えることを特徴とする請求項１乃至４のいずれか一項に記載の撮像装置。
【発明の詳細な説明】
【技術分野】
【０００１】
本発明は、ビューファインダを備える例えばデジタルビデオカメラ等の撮像装置に関する。
【背景技術】
【０００２】
デジタルビデオカメラ等の撮像装置では、撮影画像を視認するためのビューファインダが装置本体の上方に配置されるものがある。ビューファインダは、様々な撮影スタイルに対応するため、装置本体に対して角度調整可能に支持されている。
【０００３】
一方、装置本体の上面部には、装置本体を把持するためのハンドルやビデオライト、外部マイクなどの各種アクセサリが着脱可能に取り付けられる。装置本体の上面部にアクセサリを配置した場合、ビューファインダは、アクセサリを避けた位置で、且つ撮影者が覗きやすい位置に配置する必要がある。
【０００４】
そこで、従来、装置本体に対するビューファインダの回動角度を装置本体やアクセサリと干渉しない位置で規制する技術が提案されている（特許文献１）。この提案では、ビューファインダを回動操作した際に、ビューファインダが装置本体やアクセサリに干渉するのを回避することができる。
【先行技術文献】
【特許文献】
【０００５】
【特許文献１】特開２００６−２９５５８９号公報
【発明の概要】
【発明が解決しようとする課題】
【０００６】
しかし、上記特許文献１では、装置本体やアクセサリと干渉しない位置でビューファインダの回動角度が規制されてしまうため、アクセサリを装置本体から取り外した状態でも、その規制された角度までしかビューファインダを回動させることができない。そのため、例えばローアングル撮影時にビューファインダの回動角度が足りず覗きにくい等の問題が生じ、様々な撮影スタイルに対応することができない。
【０００７】
そこで、本発明は、装置本体に対してビューファインダを回動させた際に、ビューファインダが装置本体やアクセサリに干渉するのを回避するとともに、より様々な撮影スタイルに対応することが可能な撮像装置を提供する。
【課題を解決するための手段】
【０００８】
上記目的を達成するために、本発明の撮像装置は、装置本体と、前記装置本体に対して着脱可能に取り付けられるアクセサリと、アイカップ、撮影画像を表示する表示パネル、及び前記表示パネルと前記アイカップとの間で光軸方向に移動するレンズ群を有し、前記装置本体に対してヒンジ機構を介して撮影者側から前記装置本体に取り付けられた前記アクセサリに向けて回動可能に支持されるビューファインダと、を備え、前記ヒンジ機構は、前記装置本体に前記アクセサリを取り付けた状態では、前記ビューファインダを前記アクセサリに前記ビューファインダが当接しない第１の回動角度で保持し、前記装置本体から前記アクセサリを取り外した状態では、前記ビューファインダを前記装置本体に前記ビューファインダが当接しない第２の回動角度で保持し、前記第２の回動角度は、前記第１の回動角度より大きいことを特徴とする。
【発明の効果】
【０００９】
本発明によれば、装置本体からアクセサリを取り外した場合のビューファインダの回動角度を装置本体にアクセサリを取り付けた場合のビューファインダの回動角度を大きくしている。これにより、装置本体にアクセサリを取り付けた場合には、ビューファインダを回動させた際に、ビューファインダが装置本体やアクセサリに干渉するのを回避することができる。また、装置本体からアクセサリを取り外した場合には、装置本体にアクセサリを取り付けた場合よりビューファインダの回動角度が大きくなるため、より様々な撮影スタイルに対応することが可能となる。
【図面の簡単な説明】
【００１０】
【図１】本発明の撮像装置の第１の実施形態であるデジタルビデオカメラの側面図である。
【図２】図１に示すデジタルビデオカメラのカメラ本体からハンドルを取り外した状態を示す側面図である。
【図３】（ａ）はビューファインダが回動していない状態のヒンジ機構の側面図、（ｂ）はビューファインダが回動角度αで回動した状態のヒンジ機構の側面図、（ｃ）はビューファインダが回動角度βで回動した状態のヒンジ機構の側面図である。
【図４】ヒンジ機構の一部の分解斜視図である。
【図５】カメラ本体にハンドルが取り付けられた状態をカメラ本体の上方から見た部分斜視図である。
【図６】カメラ本体にハンドルが取り付けられた状態で撮影者がビューファインダの覗いている状態を示す側面図である。
【図７】（ａ）は図６に示すビューファインダを撮影者側から見た図、（ｂ）は（ａ）のＣ−Ｃ線断面図である。
【図８】ビューファインダのレンズ群を含む内部構造の分解斜視図である。
【図９】（ａ）はレンズ群が撮影者から最も離れた位置に移動した状態でのユニットホルダ、レンズ群及び弾性部材の関係を示す断面図、（ｂ）はレンズ群が撮影者に最も接近した位置に移動した状態でのユニットホルダ、レンズ群及び弾性部材の関係を示す断面図である。
【図１０】（ａ）は本発明の撮像装置の第２の実施形態であるデジタルビデオカメラにおいて、カメラ本体からハンドルを取り外した状態をカメラ本体の上方向から見た斜視図、（ｂ）は（ａ）を下方向から見た斜視図である。
【図１１】（ａ）はハンドルをカメラ本体に取り付ける途中の状態を示す要部断面図、（ｂ）及び（ｃ）はハンドルがカメラ本体に取り付けられた状態を示す要部断面図である。
【発明を実施するための形態】
【００１１】
以下、図面を参照して、本発明の実施形態を説明する。
【００１２】
（第１の実施形態）
図１は、本発明の撮像装置の第１の実施形態であるデジタルビデオカメラの側面図である。
【００１３】
本実施形態のデジタルビデオカメラは、図１に示すように、カメラ本体１の上面部にハンドル３が着脱可能に取り付けられ、カメラ本体１の側面部には、電源ダイアル４が設けられている。カメラ本体１のハンドル３の後側（図の右側）には、ビューファインダ２が後述するヒンジ機構２０（図３参照）を介して回動可能に支持されている。
【００１４】
ビューファインダ２は、図１に示すように、カメラ本体１の上面部にハンドル３を取り付けた状態では、光軸と略平行な線を基準にして上方に回動角度αの範囲で回動可能に支持されている。ここで、カメラ本体１は、本発明の装置本体の一例に相当し、ハンドル３は、本発明のアクセサリの一例に相当する。
【００１５】
ビューファインダ２は、小型アイカップ２ｃ、及び大型アイカップ２ｂを有する。小型アイカップ２ｃ、及び大型アイカップ２ｂは、共に弾性部材で形成され、小型アイカップ２ｃは、撮影者がビューファインダ２を覗いた際に、ビューファインダ２に対して目の当たる位置を固定しやすくするため、目の形状に合うような曲線形状に形成される。一方、大型アイカップ２ｂは、撮影者がビューファインダ２を覗いた際に、外光がビューファインダ２内に入ってくるのを防ぎ、表示画像を見やすくするためのものである。
【００１６】
図２は、図１に示すデジタルビデオカメラのカメラ本体１からハンドル３を取り外した状態を示す側面図である。
【００１７】
図２に示すように、カメラ本体１からハンドル３を取り外した状態では、ビューファインダ２は、光軸と略平行な線を基準にして上方に回動角度α（図１参照）より大きい回動角度βの範囲で回動可能に支持されている。図２の状態では、ビューファインダ２は、図１においてハンドル３が配置されていた領域まで回動している。ここで、回動角度αは、本発明の第１の回動角度に相当し、回動角度βは、本発明の第２の回動角度に相当する。
【００１８】
次に、図３を参照して、ビューファインダ２をカメラ本体１に対して回動可能に支持するヒンジ機構２０について説明する。図３（ａ）は、ビューファインダ２が回動していない状態のヒンジ機構２０の側面図である。図３（ｂ）はビューファインダ２が回動角度αで回動した状態（図１）のヒンジ機構２０の側面図、図３（ｃ）はビューファインダ２が回動角度βで回動した状態（図２）のヒンジ機構２０の側面図である。図４は、ヒンジ機構２０の一部の分解斜視図である。
【００１９】
図３及び図４に示すように、ヒンジ機構２０は、カメラ本体１に固定されるヒンジベース２１、ヒンジベース２１に対して軸Ａ中心に回転可能に支持されるホルダ２２及び回転角度α，βでホルダ２２を保持するためのクリック感を発生させる板ばね２３を有する。板ばね２３は、カシメピン２４によりホルダ２２に一体に固定され、ヒンジベース２１に対してホルダ２２とともに回転可能である。
【００２０】
なお、図３の紙面裏側にも同様のヒンジ機構２０が設けられているが、同一構成であるため、その説明は省略する。また、本実施形態では、ヒンジ機構２０は、左右対称の構造となっているが、これに限定されず、例えば一方の側は、板ばねが配置されてクリック感を発生させるが、他方の側は、板ばねが配置されず、ホルダ２２が軸支されているだけでも良い。
【００２１】
ヒンジベース２１は、固定部２１０を有する。固定部２１０には、カメラ本体１に対して位置決めするための位置決め穴２１０ａ、及びカメラ本体１に対してねじ等により固定するための穴２１０ｂ〜２１０ｅが形成されている。
【００２２】
また。ヒンジベース２１には、ホルダ２２の両側を挟む位置に一対の壁部２１１が設けられている。壁部２１１には、回転軸Ａを中心にして放射状に広がる溝２１１ａ〜２１１ｃが形成され、その中心には、カシメピン２４の軸２４ａを回動可能に保持する穴２１１ｆが形成されている。壁部２１１の上部には、ホルダ２２の回転を規制するためのストッパ面２１１ｄ，２１１ｅが形成されている。
【００２３】
ホルダ２２は、上方が開口する略コ字形状をなしており、両側壁２２ａは、カシメピン２４を介してヒンジベース２１に対して回転可能に保持されている。ホルダ２２の底面部には、ホルダ２２をビューファインダ２に固定するための固定部２２０が設けられ、固定部２２０に形成された穴２２０ａ，２２０ｂを通してねじ等でビューファインダ２に固定される。ホルダ２２の壁２２ａの先端には、突出部２２ｂが設けられ、突出部２２ｂがストッパ面２１１ｄ，２１１ｅに当接することで、ホルダ２２の回転が規制される。
【００２４】
図３（ａ）に示すように、ホルダ２２の突出部２２ｂがヒンジベース２１のストッパ面２１１ｄに当接することにより、ホルダ２２の図の下方向への回転が規制される。また、図３（ｃ）に示すように、突出部２２ｂがストッパ面２１１ｅに当接することにより、ホルダ２２は、回動角度βより大きな角度の回転が規制される。
【００２５】
板ばね２３は、図４に示すように、中央部に穴２３ｂが形成され、穴２３ｂの周囲には、ヒンジベース２１側に突出する突出部２３ａが径方向に互いに対向して２箇所設けられている。穴２３ｂには、カシメピン２４の軸２４ａが嵌合され、これにより、板ばね２３がホルダ２２と一体となって回転する。
【００２６】
突出部２３ａは、板ばね２３の回転と共にヒンジベース２１の壁部２１１を摺動しながら、溝２１１ａ，２１１ｂ，２１１ｃに順次係合する。図３（ａ）は、突出部２３ａが溝２１１ａに係合した状態を示し、図３（ｂ）は、突出部２３ａが溝２１１ｂに係合した状態を示し、図３（ｃ）は、突出部２３ａが溝２１１ｃに係合した状態を示し、各位置でビューファインダ２が保持される。
【００２７】
カメラ本体１にハンドル３が取り付けられた図１の状態では、ビューファインダ２は、回動角度αの位置で保持される。カメラ本体１からハンドルが取り外された図２の状態では、ビューファインダ２は、回動角度αよりも大きい回動角度βまで回転できるため、回動角度βの位置で保持される。
【００２８】
図５は、カメラ本体１にハンドル３が取り付けられた状態をカメラ本体１の上方から見た部分斜視図である。図５に示すように、ビューファインダ２のハンドル３に対向する位置には、ハンドル３側に突出する当接部２ａが設けられている。このため、図１の状態からビューファインダ２を更に回動させようとすると、この当接部２ａがハンドル３に当接して、ビューファインダ２が傷付かないようになっている。
【００２９】
次に、図６及び図７を参照して、ビューファインダ２の回動角度αと回動角度βの設定について説明する。図６は、カメラ本体１にハンドル３が取り付けられた状態で撮影者がビューファインダ２の覗いている状態を示す側面図である。
【００３０】
回動角度αは、ビューファインダ２がハンドル３に当接しない角度であるが、撮影者がビューファインダ２を覗いた際に、ハンドル３に額等の顔の一部が当たらない角度となっている。つまり、図６に示すように、カメラ本体１の側面から見て接眼面の位置をＢ−Ｂとすると、回動角度αは、接眼面Ｂ−Ｂよりも撮影者側の領域Ｂにハンドル３が干渉しない角度である。ここで言う接眼面について、図７を用いて説明する。
【００３１】
図７（ａ）は図６に示すビューファインダ２を撮影者側から見た図、図７（ｂ）は図７（ａ）のＣ−Ｃ線断面図である。なお、図では、説明の便宜上、大型アイカップ２ｂの図示は省略している。
【００３２】
図７（ａ）及び図７（ｂ）において、小型アイカップ２ｃは、撮影者が目を当てる部分が目の形に合うよう曲線を描いた形状をしている。
【００３３】
図７（ｂ）に示すように、表示パネル２０１は、撮影画像を表示し、表示パネル２０１に表示された撮影画像は、レンズ群２０２を通して撮影者が見ることができる。表示パネル２０１とレンズ群２０２は、ユニットホルダ２０３内に配置されて保持されている。
【００３４】
接眼面Ｂ−Ｂは、小型アイカップ２ｃにおけるレンズ群２０２に最も近い２つの点２ｃ１と点２ｃ２とを結んだ線を含む表示パネル２０１に平行な面である。接眼面Ｂ−Ｂに目を当てた状態では、接眼面Ｂ−Ｂよりも撮影者側の領域Ｂにハンドル３が干渉しなければ、撮影者の額等の顔の一部がハンドル３に当たることはない。
【００３５】
回動角度βは、回動角度αよりも大きく、ビューファインダ２がハンドル３が取り外されたカメラ本体１に当たらない角度であり、本実施形態では、図２に示すビューファインダ２の回動角度である。図２の状態では、撮影者は上からビューファインダ２を覗くことになるため、ローアングル撮影時などカメラ本体１を地面に近づけて撮影する際に対応できるようになる。
【００３６】
次に、図８を参照して、ビューファインダ２を回動させた際に発生するレンズ群２０２のガタ抑えについて説明する。図８は、ビューファインダ２のレンズ群２０２を含む内部構造の分解斜視図である。
【００３７】
図８に示すように、レンズ群２０２は、ユニットホルダ２０３に設けられた空洞部２０３ａ内に光軸方向に移動可能に収められ、レンズ群２０２の底面側には突出部２０２ａが形成されている。レンズ群２０２の下側には、ユニットホルダ２０３を介して操作部２０５が配置され、蓋２０６をユニットホルダ２０３に固定することで操作部２０５はスライド操作可能に支持される。
【００３８】
操作部２０５には、不図示のカム溝が形成されており、このカム溝には、レンズ群２０２の突出部２０２ａが係合している。撮影者が操作部２０５をスライド操作すると、カム溝に係合する突出部２０２ａが連動して、レンズ群２０２が光軸方向に移動する構造となっている。撮影者は、自らの視度に合わせるために、この操作を行いレンズ群２０２を光軸方向に移動させる。
【００３９】
ここで、レンズ群２０２とユニットホルダ２０３の空洞部２０３ａの間には、レンズ群２０２の移動を確保するための隙間が設けられているが、ビューファインダ２の回動時の振動によって、レンズ群２０２が傾いて視度がずれるおそれがある。
【００４０】
そこで、本実施形態では、レンズ群２０２とユニットホルダ２０３との間に弾性部材２０４を配置してレンズ群２０２を上面方向に付勢することで、レンズ群２０２のガタを抑えて光軸に対してレンズ群２０２が傾かないようにしている。本実施形態では、弾性部材２０４は、レンズ群２０２の底面側に、突出部２０２ａを避けて両面テープなどで貼り付け固定され、レンズ群２０２を光軸方向に移動可能にレンズ群２０２の径方向の中心に向けて付勢する。
【００４１】
図９（ａ）は、レンズ群２０２が撮影者から最も離れた位置に移動した状態でのユニットホルダ２０３、レンズ群２０２及び弾性部材２０４の関係を示す断面図である。図９（ｂ）は、レンズ群２０２が撮影者に最も接近した位置に移動した状態でのユニットホルダ２０３、レンズ群２０２及び弾性部材２０４の関係を示す断面図である。
【００４２】
弾性部材２０４が突出部２０２ａに対して撮影者側に長く延びた形状をしているため、レンズ群２０２がユニットホルダ２０３の空洞部２０３ａ内で突出部２０２ａを支点に矢印Ｄ方向に傾こうとしても、傾きに対して長い範囲でガタを抑えることができる。
【００４３】
以上説明したように、本実施形態では、ビューファインダ２は、ハンドル３をカメラ本体１に取り付けた状態では、回動角度αで保持され、ハンドル３をカメラ本体１から取り外した状態では、回動角度αより大きい回動角度βまで回動して保持される。このため、カメラ本体１にハンドル３を取り付けた状態では、ビューファインダ２を回動させた際に、ビューファインダ２がカメラ本体１やハンドル３に干渉するのを回避することができる。また、カメラ本体１からハンドル３を取り外した状態では、カメラ本体１にハンドル３を取り付けた状態よりビューファインダ２の回動角度が大きくなるため、より様々な撮影スタイルに対応することが可能となる。
【００４４】
また、本実施形態では、カメラ本体１にハンドル３を取り付けた状態では、ビューファインダ２がハンドル３に当たらず、ビューファインダ２を覗いても、顔の一部がハンドル３に当たらない最適な回動角度でビューファインダ２を保持することができる。
【００４５】
（第２の実施形態）
次に、図１０及び図１１を参照して、本発明の撮像装置の第２の実施形態であるデジタルビデオカメラについて説明する。なお、上記第１の実施形態に対して重複又は相当する部分については、各図に同一符号を付してその説明を省略する。
【００４６】
図１０（ａ）はカメラ本体１からハンドル３を取り外した状態をカメラ本体１の上方向から見た斜視図、図１０（ｂ）は図１０（ａ）を下方向から見た斜視図である。
【００４７】
図１０（ａ）に示すように、カメラ本体１の上面部の上面カバー６には、ハンドル３をカメラ本体１に着脱可能に取り付けるための台座１０がねじ等により固定されている。台座１０には、上方が開放された略コ字形状に形成され、ハンドル３の取付板金３２が図の矢印Ｅ方向に挿入される。取付板金３２は、挿入方向に長い略長方形に形成され、挿入方向の先端部には、突き当て部３２１が設けられ、突き当て部３２１の中央には、先端側に突出する突出部３２０が形成されている。
【００４８】
ハンドル３をカメラ本体１に取り付ける際は、台座１０にハンドル３の取付板金３２を矢印Ｅ方向から挿入して、上面カバー６に形成された突面６０に取付板金３２の突き当て部３２１を当接させる。その状態で、台座１０の中央部に形成された取付穴１００に固定ねじ３１のねじ部３１０を挿入して螺合する。
【００４９】
図１１（ａ）は、ハンドル３をカメラ本体１に取り付ける途中の状態を示す要部断面図である。図１１（ａ）の状態では、ハンドル３の取付板金３２は、矢印Ｅ方向にカメラ本体１の台座１０の途中まで挿入され、ビューファインダ２は、回動角度βまで回動した状態で保持されている。
【００５０】
図１１（ｂ）は、ハンドル３がカメラ本体１に取り付けられた状態を示す要部断面図である。図１１（ｂ）の状態では、ハンドル３の取付板金３２の突き当て部３２１が上面カバー６の突面６０に当接して、固定ねじ３１のねじ部３１０が台座１０の取付穴１００に螺合され、ビューファインダ２は、回動角度αで保持されている。
【００５１】
図１１（ｃ）は、ハンドル３がカメラ本体１に取り付けられた状態で、かつビューファインダ２が回動していない状態を示す要部断面図である。なお、ハンドル３の取付位置が分かりやすいように、図１１（ａ）乃至図１１（ｃ）まで台座１０の取付穴１００の中心を一点鎖線で結んでいる。
【００５２】
図１１（ａ）に示すように、ビューファインダ２が回動角度βで保持されているとき、ハンドル３の取付板金３２の突出部３２０がビューファインダ２に当接している。この状態で更にハンドル３を矢印Ｅ方向に挿入していくと、取付板金３２の突出部３２０がビューファインダ２を押しこみ、ビューファインダ２が回動角度αまで回動する。
【００５３】
取付板金３２の突き当て部３２１が上面カバー６の突面６０に当接すると、取付板金３２の突出部３２０は、図１１（ｂ）に示す位置となり、ビューファインダ２は、回動角度αまで回動して保持される。
【００５４】
ハンドル３がカメラ本体１に取り付けられた図１１（ｂ）及び図１１（ｃ）に示す状態では、ビューファインダ２を、回動角度０°から回動角度αまでの範囲で自由に回動させることができ、ビューファインダ２がハンドル３に当たることはない。
【００５５】
図１１（ｂ）に示す状態では、回動角度αより大きな角度でビューファインダ２を回動させようとすると、ビューファインダ２に形成された突出部２５が取付板金３２の突出部３２０に当接してビューファインダ２のそれ以上の回動が規制される。
【００５６】
以上説明したように、本実施形態では、ビューファインダ２が回転角βまで回転した状態であっても、ハンドル３の取付時にビューファインダ２がハンドル３に押されて回動角度αまで回動する。このため、ハンドル３の取付時にビューファインダ２の回動角度を気にすることなく、カメラ本体１にハンドル３を取り付けることが可能となる。
【００５７】
また、本実施形態では、ハンドル３がカメラ本体１に取り付けられた状態では、ビューファインダ２は、回動角度αまでしか回動できないため、ビューファインダ２を覗いても、顔の一部がハンドル３に当たらない最適な回動角度で保持できる。その他の構成、及び作用効果は、上記第１の実施形態と同様である。
【００５８】
なお、本発明の構成は、上記各実施形態に例示したものに限定されるものではなく、材質、形状、寸法、形態、数、配置箇所等は、本発明の要旨を逸脱しない範囲において適宜変更可能である。
【００５９】
例えば、上記第２の実施形態では、ハンドル３の取付板金３２がビューファインダ２を押すことでビューファインダ２の回動角度を調節する機構を例示しているが、これに限定されない。例えばハンドル３の挿入状態をセンサ等で検知して、ビューファインダ２を電動で回動させる機構であってもよい。
【符号の説明】
【００６０】
１  カメラ本体
２  ビューファインダ
２ｃ  小型アイカップ
３  ハンドル
２０  ヒンジ機構
２１  ヒンジベース
２２  ホルダ
２３  板ばね
２４  カシメピン
２０１  表示パネル
２０２  レンズ群
【図１】
0006373152.tif 000002
【図２】
0006373152.tif 000003
【図３】
0006373152.tif 000004
【図４】
0006373152.tif 000005
【図５】
0006373152.tif 000006
【図６】
0006373152.tif 000007
【図７】
0006373152.tif 000008
【図８】
0006373152.tif 000009
【図９】
0006373152.tif 000010
【図１０】
0006373152.tif 000011
【図１１】
0006373152.tif 000012